(57)【要約】      （修正有）【課題】鞄など袋物の形を維持することができる鞄用の支持枕構造を提供する。【解決手段】アウターカバー２と、インナーカバー３と、支持体４とを備える鞄用の支持枕構造であって、アウターカバー２は、２つの正面接触面２１、２つの側面接触面２２及び一つの底面接触面２３を含み、２つの側面接触面２２にはその辺縁にそれぞれ縁取りが設けられ、底面接触面２３には一つの開口２４が設けられており、インナーカバー３はアウターカバー２の中に設けられ、当該インナーカバー３は一つの開口３０を含み、支持体４はインナーカバー３の中に設けられ、当該支持体４は２つの正面接触面４１、２つの側面接触面４２及び一つの底面接触面４３を含んでいる。【選択図】図２
0003222839.tif 000002
【実用新案登録請求の範囲】
【請求項１】
アウターカバーと、インナーカバーと、支持体とを備える鞄用の支持枕構造であって、
前記アウターカバーは、２つの正面接触面、２つの側面接触面及び一つの底面接触面を含み、前記２つの側面接触面にはその辺縁にそれぞれ縁取りが設けられ、前記底面接触面には一つの開口が設けられており、
前記インナーカバーは前記アウターカバーの中に設けられ、当該インナーカバーは一つの開口を含み、
前記支持体は前記インナーカバーの中に設けられ、当該支持体は２つの正面接触面、２つの側面接触面及び一つの底面接触面を含んでいる、
ことを特徴とする鞄用の支持枕構造。
【請求項２】
前記アウターカバーの前記底面接触面に設けられている前記開口には、ジッパー及び遮蔽物が更に設けられている、ことを特徴とする請求項１に記載の鞄用の支持枕構造。
【請求項３】
前記インナーカバーの開口には、ジッパーが更に設けられている、ことを特徴とする請求項１に記載の鞄用の支持枕構造。
【請求項４】
前記支持体は、メモリフォームにより作られ、且つ竹炭成分が含まれている、ことを特徴とする請求項１に記載の鞄用の支持枕構造。
【考案の詳細な説明】
【技術分野】
【０００１】
本考案は、鞄用の支持枕構造に関し、特に、鞄など袋物の形を維持することができる鞄用の支持枕構造に関する。
【背景技術】
【０００２】
高価なまたは材質の良い鞄など袋物を購入した利用者にとって、その袋物を使用しないときの保管方法が主な悩み事となっている。よく見られる方法として、鞄など袋物を密封袋または密封ボックスに入れて、外力または外物の接触による擦り傷、更には破壊に至ることを回避する保管方法がある。
【考案の概要】
【考案が解決しようとする課題】
【０００３】
しかし、ほとんどの袋物は皮革などの柔らかい素材で作られているため、長期間保管する場合、それ自体の重力または積み重ねによる圧力などによって袋物が変形する恐れがあるが、この問題に利用者は気付いていない。そのような期間が長過ぎると、袋物を元の形状に戻せなくなって、利用者にとっては解決できない問題及び悩みとなっている。
以上に鑑みて、本考案は上述のような問題点を改善、解決するためになされたものである。
【課題を解決するための手段】
【０００４】
本考案による支持枕は、アウターカバーと、インナーカバーと、支持体とを備え、前記アウターカバーに形成されている２つの正面接触面、２つの側面接触面及び一つの底面接触面により、鞄の本体に入れた支持枕が鞄の本体の内部空間を支えて広げるようにする。
【考案の効果】
【０００５】
本考案の構成によれば、鞄など袋物の原形を保つことができる。
【図面の簡単な説明】
【０００６】
【図１】本考案による構成の外観斜視図である。
【図２】本考案による構成の外観分解斜視図である。
【図３】本考案による構成の断面図である。
【図４】本考案による構成の好ましい実施形態を示す図である。
【図５】本考案による構成の他の実施形態を示す図である。
【図６】本考案による構成の別の他の実施形態を示す図である。
【図７】本考案による構成の更に他の実施形態を示す図である。
【考案を実施するための形態】
【０００７】
図１〜図７は、それぞれ本考案による構成を示す外観斜視図、外観分解斜視図、断面図、好ましい実施形態の構成図及び他の実施形態の構成図である。図に示すように、支持枕１は、アウターカバー２と、インナーカバー３と、支持体４とを有している。アウターカバー２は、２つの正面接触面２１、２つの側面接触面２２及び一つの底面接触面２３を含んでおり、２つの側面接触面２２の辺縁にはそれぞれ縁取り２２１が設けられ、底面接触面２３には一つの開口２４が設けられ、開口２４にはジッパー２５及び遮蔽物２６が更に設けられている。インナーカバー３はアウターカバー２の内側に設けられており、一つの開口３０はインナーカバー３が含まれ、開口３０にはジッパー３１が設けられている。支持体４は、インナーカバー３の内側に設けられ、２つの正面接触面４１、２つの側面接触面４２及び一つの底面接触面４３を含んでいる。支持体４は、メモリフォーム（低反発）により作られ且つ竹炭成分が含まれている。
【０００８】
支持枕１は、支持体４によって全体の立体形状が維持されるが、支持体４をアウターカバー２の中に入れると、支持体４における２つの正面接触面４１、２つの側面接触面４２及び一つの底面接触面４３によって、アウターカバー２における２つの正面接触面２１、２つの側面接触面２２及び一つの底面接触面２３を支え広げて保形する。
【０００９】
したがって、支持枕１は袋物５（図４を参照）に入れられて使用されるが、袋物５を使用しないで保管する場合、支持枕１を袋物５に入れて、アウターカバー２における２つの正面接触面２１、２つの側面接触面２２及び一つの底面接触面２３が袋物５の内部を押すように接触させる。これにより、袋物５の内部空間が支えられて広げられ、袋物５の変形を回避することができる。
【００１０】
アウターカバー２における２つの側面接触面２２の辺縁に設けられた縁取り２２１は、主に、支持枕１の全体形状を維持し且つ補強するために使われるが、これにより、支持枕１の長期使用による変形を回避する。
【００１１】
また、アウターカバー２の開口２４に遮蔽物２６を設けたのは、ジッパー２５により袋物５の内部表面に発生する擦り傷などを防止するためである。詳細には、ほとんどの袋物５は高価品であり、または上品な材質で作られているため、袋物５に支持枕１を入れた場合、遮蔽物２６でジッパー２５を遮蔽して、ジッパー２５による袋物５の内部表面の擦り傷などの形成を防止する。これにより、支持枕１の全体の美的外観を実現することができる。
【００１２】
また、アウターカバー２に開口２４を設けることで、インナーカバー３及び支持体４を取り出して洗濯または交換することが便利になる。
【００１３】
また、支持体４はメモリフォームにより作られ且つ竹炭成分が配合されているが、これは、メモリフォームが変形しにくくなっているためであり、竹炭成分の配合により、除菌、脱臭、除湿効果が向上し、且つ支持体４の全体的強度の向上効果が得られるためである。
【００１４】
なお、各々の袋物５の形状及びサイズが異なるため、内部空間もそれぞれ異なる。したがって、支持枕１を図５、図６及び図７に示すような形態に構成して、異なる形状及びサイズの袋物５に適用させる。
【００１５】
以上説明したように、従来技術では解決できなかった袋物の変形という問題と悩みと比較して、本考案による支持枕１は、そのアウターカバー２における２つの正面接触面２１、２つの側面接触面２２及び一つの底面接触面２３が支持体４によって支持され、支持枕１を袋物５に入れた場合、支持体４により袋物５の内部空間が支えられて広げられる。これにより、鞄などの袋物５を保管する際、袋物５の原形を保つことができ、袋物５の変形を回避することができる。
【００１６】
上記のように、好ましい実施形態で本考案を詳細に説明したが、その目的は、当業者が、本考案の内容を理解した上で実施できるようにするためである。もちろん、本考案の保護範囲は、上記実施形態、実施例に限定されず、本考案の趣旨に基づいて変更または改良することができ、いずれも本考案の保護範囲に含まれる。
【符号の説明】
【００１７】
１………支持枕
２………アウターカバー
２１……正面接触面
２２……側面接触面
２２１…縁取り
２３……底面接触面
２４……開口
２５……ジッパー
２６……遮蔽物
３………インナーカバー
３０……開口
３１……ジッパー
４………支持体
４１……正面接触面
４２……側面接触面
４３……底面接触面
５………袋物
【図１】
0003222839.tif 000003
【図２】
0003222839.tif 000004
【図３】
0003222839.tif 000005
【図４】
0003222839.tif 000006
【図５】
0003222839.tif 000007
【図６】
0003222839.tif 000008
【図７】
0003222839.tif 000009